(57)【要約】【課題】遊技板における帯電防止効果を、遊技板の素材に関わらず均一にすることができる、パチンコ遊技機の製造方法及びパチンコ遊技機を提供する。【解決手段】遊技板５の製造工程を備えるパチンコ遊技機の製造方法において、遊技板５の製造工程は、フィルム製造装置１００におけるフィルムＦの製造過程でフィルムＦの一方の面に帯電防止剤Ｐを塗布する塗布工程と、遊技板５を構成する板状部材Ｂに、帯電防止剤Ｐが塗布されたフィルムＦを、帯電防止剤Ｐが塗布された面が外側になるように貼付する貼付工程とを備える。【選択図】図５
2015089405.tif 000002
【特許請求の範囲】
【請求項１】
遊技板の製造工程を備えるパチンコ遊技機の製造方法において、
前記遊技板の製造工程は、帯電防止剤をフィルムの一方の面に塗布する塗布工程と、前記塗布工程で帯電防止剤が塗布されたフィルムを帯電防止剤が塗布された面が外側になるように板状部材に貼付する貼付工程とを備えることを特徴とするパチンコ遊技機の製造方法。
【請求項２】
遊技板を備えるパチンコ遊技機において、
前記遊技板は、フィルムの一方の面に帯電防止剤が塗布された後に、帯電防止剤が塗布された面が外側になるように前記フィルムが板状部材に貼付されて形成されることを特徴とするパチンコ遊技機。
【発明の詳細な説明】
【技術分野】
【０００１】
本発明は、パチンコ遊技機の製造方法及びパチンコ遊技機に関する。
【背景技術】
【０００２】
パチンコ遊技機では遊技部品が遊技球の影響で帯電することにより、遊技板等の遊技部品に汚れが付着したり、遊技部品に隣接する制御装置が誤作動を起こしたりする場合がある。このため従来のパチンコ遊技機においては、遊技部品における静電気の滞留を防止するために、遊技部品に帯電防止層を形成する技術が用いられている（例えば、特許文献１を参照）。また、遊技部品に帯電防止層を形成する手法として、遊技部品に帯電防止液を塗布したり吹き付けたりする方法が知られている。
【先行技術文献】
【特許文献】
【０００３】
【特許文献１】特開平９−１２２３３３号公報
【発明の概要】
【発明が解決しようとする課題】
【０００４】
一方、近年の遊技板には、従来から存在する木製合板だけでなく、樹脂製板などの種々の素材が用いられている。このため、遊技板に帯電防止液を塗布した場合には、それぞれの素材における帯電防止効果にばらつきが生じる場合があった。
【０００５】
本発明は、上記のような問題点に鑑みてなされたものであり、遊技板における帯電防止効果を、遊技板の素材に関わらず均一にすることができる、パチンコ遊技機の製造方法及びパチンコ遊技機を提供するものである。
【課題を解決するための手段】
【０００６】
本発明の解決しようとする課題は以上の如くであり、次にこの課題を解決するための手段を説明する。
【０００７】
即ち、請求項１においては、遊技板の製造工程を備えるパチンコ遊技機の製造方法において、前記遊技板の製造工程は、帯電防止剤をフィルムの一方の面に塗布する塗布工程と、前記塗布工程で帯電防止剤が塗布されたフィルムを帯電防止剤が塗布された面が外側になるように板状部材に貼付する貼付工程とを備えるものである。
【０００８】
請求項２においては、遊技板を備えるパチンコ遊技機において、前記遊技板は、フィルムの一方の面に帯電防止剤が塗布された後に、帯電防止剤が塗布された面が外側になるように前記フィルムが板状部材に貼付されて形成されるものである。
【発明の効果】
【０００９】
本発明により、パチンコ遊技機において、遊技板における帯電防止効果を、遊技板の素材に関わらず均一にすることができる。
【図面の簡単な説明】
【００１０】
【図１】本発明の一実施形態に係るパチンコ遊技機の全体的な構成を示した正面図。
【図２】同じく、パチンコ遊技機の窓枠が開放された状態の構成を示した正面斜視図。
【図３】遊技板が配設された状態のパチンコ遊技機の構成を示した正面図。
【図４】遊技板を示した正面図。
【図５】遊技板の製造工程の一部を示した図。
【図６】（ａ）はフィルムに帯電防止剤を塗布する工程を示した図、（ｂ）は板状部材にフィルムを貼付する工程を示した図。
【発明を実施するための形態】
【００１１】
まず、本発明に係るパチンコ遊技機の第一実施形態であるパチンコ遊技機の全体的な構成について、図１及び図２を用いて説明する。
なお、以下の説明では、パチンコ遊技機を遊技者側から見て、手前側をパチンコ遊技機の前側とし、奥側をパチンコ遊技機の後側として、前後方向を規定する。また、パチンコ遊技機を遊技者側から見て、左手側をパチンコ遊技機の左側とし、右手側をパチンコ遊技機の右側として、左右方向を規定する。
【００１２】
パチンコ遊技機は、図１及び図２が示すように、主として、外枠２と、中枠３と、窓枠４と、により構成される枠体に、各種の遊技部品が取り付けられて形成される。
【００１３】
外枠２は、パチンコ遊技機の外郭を成し、前後面が開口された略四角筒状に形成される枠体である。外枠２は、パチンコホール等の遊技場に設けられた台島に設置される。外枠２には、中枠３が設けられる。
【００１４】
中枠３は、前後面が開口された略四角筒状に形成される枠体である。中枠３は、外枠２の前側の開口部にヒンジ等の軸支部材を介して回動可能に支持される。中枠３には、遊技板５と、遊技板５の背後に配置されて遊技板５を介して遊技者に視認される裏ユニット５Ｕ（図３を参照）と、窓枠４と、下皿ユニット６と、が設けられる。
【００１５】
遊技板５は、透明に形成されて透光性を有する平板状部材である。遊技板５は、中枠３の下側を除く略全面に渡って、中枠３に着脱自在に取り付けられる。遊技板５の前側の表面におけるセンター役物３３の周囲には、遊技球が転動する領域である遊技領域１９が形成される（図３を参照）。また、遊技領域１９の部分には、遊技球を不規則に転動させるために図示しない多数の遊技釘が遊技板５に打ち込まれている。図３及び図４に示す如く、本実施形態における遊技板５には、印刷により花柄の装飾部Ｄが描かれている。また、後述する如く、遊技板５の前面（遊技者側の面）には、遊技板５の表面における帯電を防止するために帯電防止剤Ｐが塗布されている。
【００１６】
窓枠４は、略平板状に形成される枠体である。窓枠４は、遊技板５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技板５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１７】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技板５の遊技領域１９へ向けて発射可能に構成される発射ハンドル２６が配設される。
【００１８】
次に、遊技板５及び裏ユニット５Ｕの構成について、図３及び図４を用いてさらに詳細に説明する。
【００１９】
遊技板５及び裏ユニット５Ｕには、遊技部品としてガイドレール１０、図柄表示装置１１、普通入賞口１３、大入賞装置１４、可変入賞装置１５、アウト口１６、センター役物３３、遊技板５の背後で遊技球を各入賞装置から案内する通路などが設けられている。
【００２０】
ガイドレール１０は、略円弧状に形成された帯状の部材である。ガイドレール１０は、遊技板５の前側面に、当該前側面に対して立ち上がり状に取り付けられる。ガイドレール１０は、遊技板５の前側面に正面視で略円形状を形成するように配置される。そして、遊技板５において、ガイドレール１０により略円形状に形成された内側の領域が、遊技球が転動する領域である遊技領域１９として構成される。
【００２１】
図柄表示装置１１は、液晶画面２０を設けて、当該液晶画面２０に図柄や数字等を変動表示可能に構成される装置である。図柄表示装置１１は、液晶画面２０を前方へ向けた状態で、裏ユニット５Ｕに取り付けられる。
【００２２】
普通入賞口１３は、遊技板５において上面が開口されたポケット状に形成され、遊技球が遊技板５に形成された入球口を介して入球（入賞）可能に形成される部材である。普通入賞口１３は、遊技板５の下部であって適宜な位置に複数個が配置される。普通入賞口１３は、遊技球が入球すると図示せぬ賞球払出装置によって所定数の遊技球（賞球）が払い出されるように構成される。
【００２３】
大入賞装置１４（特別電動役物）は遊技板５に配置され、所定の大当たり抽選により大当たりが選択されると、大入賞口（特別可変入賞口）２１を開放して遊技球が入球（入賞）可能に構成される装置である。大入賞口２１は、大入賞装置１４により、遊技球が入球可能な開放状態と遊技球が入球不能な閉鎖状態とに切り換えられる。大入賞装置１４は、遊技板５の右側下部に配置される。大入賞装置１４は、開放した大入賞口２１に遊技球が入球すると図示せぬ賞球払出装置によって所定数の遊技球（賞球）が払い出されるように構成される。
【００２４】
可変入賞装置１５（普通電動役物）は、遊技板５の中央下部に配置される。可変入賞装置１５には、第二始動口２８が設けられる。第二始動口２８は、上面が開口されたポケット状に形成され、その内部に遊技球が入球（入賞）可能に構成される。可変入賞装置１５には、前後方向に進退可能に構成された板状の可動片２２が配設される。そして、可動片２２が後方（遊技者と反対側）に退避している場合、遊技領域１９内を転動する遊技球は第二始動口２８に入賞することができない（閉塞状態）。一方、可動片２２が前方（遊技者側）に進出している場合、遊技領域１９内を転動する遊技球は当該可動片２２に誘導されて第二始動口２８に入賞することができる（開放状態）。また、遊技板５における第二始動口２８の上側には、ポケット状に第一始動口２９が設けられており、この第一始動口２９にも遊技球が入賞することが可能となっている。
【００２５】
アウト口１６は、遊技領域１９を転動する遊技球が、普通入賞口１３や大入賞口２１や始動入賞口２３等の各入賞口に入球（入賞）しなかった場合に、最終的に流入する開口部である。アウト口１６は、遊技領域１９の最下部に、遊技板５を前後方向に貫通して形成される。なお、アウト口１６に流入した遊技球は、パチンコ遊技機が設置されたパチンコホール等の遊技場側に回収される。
【００２６】
センター役物３３は遊技板５の表面から前方に突出する枠状の部材であり、このセンター役物３３の周囲が遊技領域１９として形成される。センター役物３３の下部は皿状のステージ３４として形成されており、ステージ３４の前方にはステージ３４から遊技球を落下させる落下穴３５が形成されている。落下穴３５は第一始動口２９の上方に位置するように形成されている。
【００２７】
次に、本実施形態に係る遊技板５の製造工程について、図５及び図６を用いて説明する。
遊技板５を製造する際には、まず、図５中のステップＳ０１に示す如く、薄膜状のフィルムＦの表面ｆ１（図６（ｂ）を参照）に帯電防止剤Ｐを塗布する（塗布工程）。具体的には図６（ａ）に示す如く、フィルム製造装置１００におけるフィルムＦの製造過程において、フィルムＦに帯電防止剤Ｐを塗布するのである。
【００２８】
本実施形態においては、フィルムＦの素材としてＰＥＴ（Ｐｏｌｙｅｔｈｙｌｅｎｅ  ｔｅｒｅｐｈｔｈａｌａｔｅ）を用いている。但し、フィルムＦをＰＥＮ（Ｐｏｌｙｅｔｈｙｌｅｎｅ  ｎａｐｈｔｈａｌａｔｅ）等の他の高分子化合物で構成することも可能である。また、帯電防止剤Ｐには界面活性剤を原料とする一般的な帯電防止剤を用いている。
【００２９】
フィルム製造装置１００は、チップ投入部１０１、投入経路１０２、押出部１０３、ローラ１０４・１０４・・等を備える。チップ投入部１０１は図６（ａ）中の矢印ａに示す如く、投入経路１０２を介してＰＥＴの原料チップを押出部１０３に投入する。そして、押出部１０３によって溶融されたＰＥＴ樹脂が直線状のスリットから薄膜状のフィルムＦとして押出される。さらに、図６（ａ）中の矢印ｒ１に示す如くローラ１０４・１０４・・を回転させることにより、矢印Ｘに示す如くフィルムＦを搬送するのである。なお、本実施形態においては、遊技板５の製造過程をフィルムＦの製造工程から開始しているが、市販のフィルムＦを調達して遊技板５の材料とすることも可能である。
【００３０】
また、フィルム製造装置１００は帯電防止剤投入部１１０を備える。帯電防止剤投入部１１０は図６（ａ）中の矢印ｂに示す如く、押出部１０３から押出されたフィルムＦの上面に帯電防止剤Ｐを投入する。そして、図６（ａ）中の矢印ｒ２に示す如く回転するローラ１０５により、帯電防止剤ＰがフィルムＦの上面で押し広げられることにより、帯電防止剤ＰがフィルムＦの表面に塗布されるのである。本実施形態においては、帯電防止剤ＰをフィルムＦの上面のみに塗布しているが、帯電防止剤ＰをフィルムＦの両面に塗布する構成としても差し支えない。即ち、帯電防止剤ＰはフィルムＦの少なくとも一方の面に塗布されていれば良い。
【００３１】
次に、図５中のステップＳ０２に示す如く、帯電防止剤Ｐが塗布されたフィルムＦに対して、花柄の装飾部Ｄを印刷する（印刷工程）。具体的には、フィルムＦの裏面ｆ２（帯電防止剤Ｐが塗布されていない面、図６（ｂ）を参照）に、図示しない印刷機により装飾部Ｄを印刷するのである。このように、本実施形態においては、フィルムＦにおいて帯電防止剤Ｐが塗布されていない裏面ｆ２に装飾部Ｄを印刷することにより、帯電防止剤Ｐによって装飾部Ｄの印刷がし難くなることを防止している。なお、本実施形態において、遊技板５の背面側における遊技領域１９には、図示しない装飾部材が配置されているが、フィルムＦにおける遊技領域１９に相当する部分全体に装飾部を印刷することもできる。即ち、遊技領域１９における装飾部材を、遊技板５のフィルムＦに印刷した装飾部で代用することも可能である。また、フィルムＦへの装飾部Ｄの印刷工程については、省略することも可能である。
【００３２】
次に、図５中のステップＳ０３及び図６（ｂ）中の矢印Ｙに示す如く、遊技板５を構成する板状部材Ｂに、帯電防止剤Ｐが塗布されたフィルムＦを貼付する（貼付工程）。具体的には、板状部材Ｂにおいて遊技板５の前面（遊技者側の面）となる面と、フィルムＦの裏面ｆ２とが当接するように、即ち帯電防止剤Ｐが塗付された表面ｆ１が外側になるようにフィルムＦを板状部材Ｂに貼付するのである。
【００３３】
本実施形態においては、板状部材Ｂとして透明なアクリル板を用いている。但し、板状部材Ｂの素材は透明のアクリルに限定されるものではなく、樹脂製や木製の非透明な板を板状部材Ｂとして用いることも可能である。このように、本実施形態に係るパチンコ遊技機においては、遊技板５は、帯電防止剤Ｐが塗布されたフィルムＦが板状部材Ｂに貼付されて形成される。その後、ルーター等の工具により、遊技板５への穴の開口等の加工が施される。この際、遊技板５にバリが生じることを防ぐために、遊技板５の両面を保護プレートで保護した状態で加工される。さらに、遊技板５の前面に遊技釘が打ち込まれ、遊技板５の背面側及び表面側に裏ユニット５Ｕ及び入賞装置等の各種の遊技部品が配設されるのである。
【００３４】
本実施形態に係るパチンコ遊技機においては、上記の如く構成することにより、遊技板５における帯電防止効果を、遊技板５の素材に関わらず均一にすることができる。即ち、遊技板５は、フィルムＦの少なくとも一方の面に帯電防止剤Ｐが塗布された後に、帯電防止剤Ｐが塗布された面が外側になるようにフィルムＦが板状部材Ｂに貼付されて形成されている。このため、遊技板５を構成する板状部材の素材に関わらず、フィルムＦの表面ｆ１に塗布された帯電防止剤Ｐで遊技板５の表面における帯電を防止することができるのである。
【００３５】
本実施形態においては、遊技板５を構成する際に、延伸していないフィルムＦに帯電防止剤Ｐを塗布して板状部材Ｂに貼付している。これにより、ルーター等の工具で穴を開けたり、遊技釘を打ったりする際に遊技板５が割れることを抑制している。
【００３６】
また、本実施形態に係る遊技板５においては、フィルムＦをＰＥＴで、板状部材Ｂをアクリルで形成している。延伸していないＰＥＴとアクリルは温度変化による膨張率（収縮率）がほぼ同じである。このため、遊技板５が温度変化によって膨張・収縮しても、フィルムＦと板状部材Ｂとが追従して変形するため、フィルムＦが板状部材Ｂから剥がれることを防止できる。
【００３７】
また、本実施形態においては図６（ａ）に示す如く、フィルム製造装置１００において、帯電防止剤ＰはフィルムＦが押出部１０３から押出された直後にフィルムＦに塗布される構成としている。このように、形成された直後の高温状態のフィルムＦに帯電防止剤Ｐを塗布することにより、帯電防止剤ＰをフィルムＦの熱により迅速に乾燥させている。つまり、フィルムＦにおける帯電防止剤Ｐの乾きむらを生じ難くしている。つまり、フィルムＦの表面全体に、帯電防止剤Ｐを均一にむらなく塗布することが可能となるのである。また、上記の如く帯電防止剤Ｐを乾燥させるための時間を多く必要としないため、帯電防止剤Ｐの膜厚を大きくすることができる。
【００３８】
一方、市販のフィルムＦを調達するなどにより、常温のフィルムＦに帯電防止剤Ｐを塗布する場合は、帯電防止剤Ｐの乾燥に時間がかかって乾きむらが生じるため、膜厚を確保することが困難となる。なお、本実施形態においては、ルーター等で遊技板５に開口した後に、遊技板５から保護プレートを離間させる際に帯電防止剤Ｐが保護プレートに付着することがある。しかし、本実施形態によれば上記の如く帯電防止剤Ｐの膜厚を大きくしているため、帯電防止剤Ｐが保護プレートに付着しても、遊技板５に形成される帯電防止剤Ｐの膜厚を充分に確保できる構成としている。
【符号の説明】
【００３９】
５  遊技板
Ｂ  板状部材
Ｆ  フィルム
Ｐ  帯電防止剤
１００  フィルム製造装置
【図１】
2015089405.tif 000003
【図２】
2015089405.tif 000004
【図３】
2015089405.tif 000005
【図４】
2015089405.tif 000006
【図５】
2015089405.tif 000007
【図６】
2015089405.tif 000008